【事件の表示】
　特許第３０３１４５０号「印字用カセット」の請求項１、２に係る特許に対する特許異議の申立てについて、次のとおり決定する。
【結　論】
　訂正を認める。
　特許第３０３１４５０号の請求項１ないし２に係る特許を取り消す。
【理　由】
１．手続きの経緯
　特許第3031450号の請求項１及び請求項２に係る発明についての出願は、平成6年7月21日に特許出願され、平成12年2月10日にその発明についての特許権の設定登録がなされ、その後、その特許について、異議申立人　桑原和子より特許異議の申立てがなされ、取消理由が通知され、その指定期間内である平成13年4月25日に特許異議意見書を提出するとともに訂正請求がなされたものである。
　
２．訂正の適否についての判断
（１）訂正の内容
［訂正事項ａ］
　特許請求の範囲の請求項１の「【請求項１】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、前記下カセットケースの底壁に形成された第１ボス軸と、前記第１ボス軸に対応して前記上カセットケースの上壁に形成された第２ボス軸とを備え、前記リボン供給スプールは前記各第１及び第２ボス軸の外側に挿嵌されてカセット本体内で回転可能に支持されるとともに、リボン供給スプールの上下方向における幅が前記所定幅と略同一幅に形成されたことを特徴とする印字用カセット。」とあるを
「【請求項１】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、前記下カセットケースの底壁に形成された第１ボス軸と、前記第１ボス軸に対応して前記上カセットケースの上壁に形成された第２ボス軸とを備え、前記第１ボス軸と第２ボス軸とを嵌合し、前記リボン供給スプールは前記各第１及び第２ボス軸の外側に挿嵌されてカセット本体内で回転可能に支持されるとともに、リボン供給スプールの上下方向における幅が前記所定幅と略同一幅に形成されたことを特徴とする印字用カセット。」と訂正する。
　
［訂正事項ｂ］
　特許請求の範囲の請求項２の「【請求項２】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、前記下カセットケースの底壁に形成された第１ボス軸と、前記第１ボス軸に対応して前記上カセットケースの上壁に形成された第２ボス軸とを備え、前記各リボン供給スプール、フィルムテープスプール、及び、粘着テープスプールの内少なくとも１つのスプールが前記各第１及び第２ボス軸の外側に挿嵌されてカセット本体内で回転可能に支持されるとともに、そのスプールの上下方向における幅が前記所定幅と略同一幅に形成されたことを特徴とする印字用カセット。」とあるを、
「【請求項２】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、前記下カセットケースの底壁に形成された第１ボス軸と、前記第１ボス軸に対応して前記上カセットケースの上壁に形成された第２ボス軸とを備え、前記第１ボス軸と第２ボス軸とを嵌合し、前記各リボン供給スプール、フィルムテープスプール、及び、粘着テープスプールの内少なくとも１つのスプールが前記各第１及び第２ボス軸の外側に挿嵌されてカセット本体内で回転可能に支持されるとともに、そのスプールの上下方向における幅が前記所定幅と略同一幅に形成されたことを特徴とする印字用カセット。」
と訂正する。
　
［訂正事項ｃ］
　発明の詳細な説明の段落［0007］を
「【課題を解決するための手段】この目的を達成するための本発明の印字用カセットは、上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、下カセットケースの底壁に形成された第１ボス軸と、第１ボス軸に対応して上カセットケースの上壁に形成された第２ボス軸とを備え、前記第１ボス軸と第２ボス軸とを嵌合し、リボン供給スプールは各第１及び第２ボス軸の外側に挿嵌されてカセット本体内で回転可能に支持されるとともに、リボン供給スプールの上下方向における幅が所定幅と略同一幅に形成された構成を有するものである。」
と訂正する。
　
［訂正事項ｄ］
　発明の詳細な説明の段落［0008］を
「また、本発明の印字用カセットは、望ましくは、上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、下カセットケースの底壁に形成された第１ボス軸と、第１ボス軸に対応して上カセットケースの上壁に形成された第２ボス軸とを備え、前記第１ボス軸と第２ボス軸とを嵌合し、各リボン供給スプール、フィルムテープスプール、及び、粘着テープスプールの内少なくとも１つのスプールが各第１及び第２ボス軸の外側に挿嵌されてカセット本体内で回転可能に支持されるとともに、そのスプールの上下方向における幅が所定幅と略同一幅に形成された構成を有するものである。」
と訂正する。
　
［訂正事項ｅ］
　発明の詳細な説明の段落［0009］を
「【作用】上下一対のカセットケースからなり、上カセットケースの上壁下面と下カセットケースの底壁上面との間の距離が所定幅に形成されたカセット本体にリボン供給スプールに巻回されたインクリボンが回転可能に支持されており、そのカセット本体が装着されたテープ印字装置の駆動により、リボン巻取スプールが回転されてインクリボンが巻取られるとともに、リボン供給スプールからインクリボンが引き出される。このとき、下カセットケースの底壁に形成された第１ボス軸と、第１ボス軸に対応して上カセットケースの上壁に形成された第２ボス軸とを嵌合し、これら第１ボス軸と第２ボス軸の外側に挿嵌されたリボン供給スプールを、カセット本体内で回転可能に支持するとともに、リボン供給スプールの上下方向における幅が、上カセットケースの上壁下面と下カセットケースの底壁上面との間の距離に対応する所定幅と略同一幅に形成されている。従って、インクリボンを巻回したスプールは傾いたりするようなこともなく、インクリボンは蛇行することなく引き出されるとともに、リボン供給スプールの幅に対応してカセット本体の幅を決定することが可能となり、これより印字用カセットの薄型化を図ることができる。」
と訂正する。
　
［訂正事項ｆ］
　発明の詳細な説明の段落［0010］を
「また、本発明の印字用カセットでは、上下一対のカセットケースからなるカセット本体にリボン供給スプールに巻回されたインクリボン、フィルムテープスプールに巻回されたフィルムテープ、そして粘着テープスプールに巻回された粘着テープが回転可能に支持されており、そのカセット本体が装着されたテープ印字装置の駆動により、リボン供給スプールからインクリボンが引き出されると共に、フィルムテープが引き出されて、そのフィルムテープにインクリボンを介して文字等の印字が行なわれ、更に印字されたフィルムテープの文字印字面にやはり引き出された粘着テープが貼着される。このとき、下カセットケースの底壁に形成された第１ボス軸と、第１ボス軸に対応して上カセットケースの上壁に形成された第２ボス軸とを嵌合し、これら第１ボス軸と第２ボス軸の外側に挿嵌されたリボン供給スプール、フィルムテープスプール、及び、粘着テープスプールの内少なくとも１つのスプールをカセット本体内で回転可能に支持するとともに、そのスプールの上下方向における幅が、上カセットケースの上壁下面と下カセットケースの底壁上面との間の距離に対応する所定幅と略同一幅に形成されている。従って、スプールは傾いたりするようなこともなく、インクリボン、フィルムテープ、両面粘着テープが蛇行することなく引き出されるとともに、そのスプールの幅に対応してカセット本体の幅を決定することが可能となり、これより印字用カセットの薄型化を図ることができる。」
と訂正する。
　
［訂正事項ｇ］
　発明の詳細な説明の段落［0027］を
「【発明の効果】以上説明した本発明の印字用カセットによれば、前記下カセットケースの底壁に形成された第１ボス軸と、前記第１ボス軸に対応して前記上カセットケースの上壁に形成された第２ボス軸とを備え、前記第１ボス軸と第２ボス軸とを嵌合し、前記リボン供給スプールは前記各第１及び第２ボス軸の外側に挿嵌されてカセット本体内で回転可能に支持された構成とするので、インクリボンの引出しに際し、スプールは傾いたりするようなこともなく、インクリボンの蛇行を防止した印字用カセットの提供が可能となった。更に、リボン供給スプールの上下方向における幅が、上カセットケースの上壁下面と下カセットケースの底壁上面との間の距離に対応する所定幅と略同一幅に形成されていることから、リボン供給スプールの幅に対応してカセット本体の幅を決定することが可能となり、これより印字用カセットの薄型化を図ることができる。また、本発明の印字用カセットは、前記下カセットケースの底壁に形成された第１ボス軸と、前記第１ボス軸に対応して前記上カセットケースの上壁に形成された第２ボス軸とを備え、前記第１ボス軸と第２ボス軸とを嵌合し、前記各リボン供給スプール、フィルムテープスプール、及び、粘着テープスプールの内少なくとも１つのスプールが前記各第１及び第２ボス軸の外側に挿嵌されてカセット本体内で回転可能に支持された構成を有するので、インクリボン、フィルムテープ又は粘着テープの引出しに際し、スプールは傾いたりするようなこともなく、インクリボン、フィルムテープそして粘着テープの蛇行を防止した印字用カセットの提供が可能となった。更に、リボン供給スプール、フィルムテープスプール、及び、粘着テープスプールの内少なくとも１つのスプールの上下方向における幅が、上カセットケースの上壁下面と下カセットケースの底壁上面との間の距離に対応する所定幅と略同一幅に形成されていることから、そのスプールの幅に対応してカセット本体の幅を決定することが可能となり、これより印字用カセットの薄型化を図ることができる。」
と訂正する。
　
（２）訂正の目的の適否、新規事項の有無及び拡張・変更の存否
　［訂正事項ａおよびｂ］については、第１ボス軸と第２ボス軸の関係について両者を嵌合すると限定するものであり、特許請求の範囲の減縮を目的とするものであるし、この点については特許明細書の発明の詳細な説明の段落番号［0021］および図３に記載されているから、新規事項の追加には該当しないし、また、特許請求の範囲を実質的に拡張したり、変更したりするものでもない。
　［訂正事項ｃ〜ｇ］については、特許請求の範囲の訂正に伴い、明細書の発明の詳細な説明の記載をそれに整合させるためのものであり、明りょうでない記載の釈明を目的とするものである。そしてこれらの訂正は、新規事項の追加には該当しないし、また、特許請求の範囲を実質的に拡張したり、変更したりするものでもない。
　
（３）むすび
　以上のとおりであるから、上記訂正は、平成６年改正法附則第6条第1項の規定によりなお従前の例によるとされる、特許法第120条の4第3項において準用する平成６年改正法による改正前の特許法第126条第1項ただし書き、第2項及び第3項の規定に適合するので、当該訂正を認める。
　
３．特許異議申立てについての判断
（１）本件発明
　上記２．で示したように上記訂正が認められるから、本件の請求項１及び請求項２に係る発明は、訂正明細書の特許請求の範囲の請求項１及び請求項２に記載された次のとおりのものである。（以下、それぞれ「本件発明１」、「本件発明２」といい、まとめて「本件発明」という。）
【請求項１】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、前記下カセットケースの底壁に形成された第１ボス軸と、前記第１ボス軸に対応して前記上カセットケースの上壁に形成された第２ボス軸とを備え、前記第１ボス軸と第２ボス軸とを嵌合し、前記リボン供給スプールは前記各第１及び第２ボス軸の外側に挿嵌されてカセット本体内で回転可能に支持されるとともに、リボン供給スプールの上下方向における幅が前記所定幅と略同一幅に形成されたことを特徴とする印字用カセット。
【請求項２】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、前記下カセットケースの底壁に形成された第１ボス軸と、前記第１ボス軸に対応して前記上カセットケースの上壁に形成された第２ボス軸とを備え、前記第１ボス軸と第２ボス軸とを嵌合し、前記各リボン供給スプール、フィルムテープスプール、及び、粘着テープスプールの内少なくとも１つのスプールが前記各第１及び第２ボス軸の外側に挿嵌されてカセット本体内で回転可能に支持されるとともに、そのスプールの上下方向における幅が前記所定幅と略同一幅に形成されたことを特徴とする印字用カセット。
　
（２）引用刊行物記載の発明
［刊行物１（実公平5-3495号公報）記載の発明］
ａ）第１図及び第２図に図示するように、リボンカセット1は、両面テープスプール3ａに粘着面を内側、剥離紙の貼付けられた剥離紙面を外側にして巻装された両面テープ3、印字用テープスプール5ａに巻装された印字用テープ5、及びリボン供給スプール7ａにインク面を内側にして巻装され印字される度に鍔付きのりボン巻取りスプール7ｂに巻き取られる印字熱転写インクリボン（以下、単にインクリボンという）7の各テープと後述する各部材を、カセット本体9の所定収納位置に収納、配置し、このカセット本体9に蓋体10を被せたものであり、以下のように構成されている。両面テープ3は、カセット本体9底面の左方中央部（第２図参照）に突設された中空のボス11と蓋体10のボス12とで両端を軸支された両面テープスプール3ａに巻装した状態で収納され、次のような経路でリボンカセット1外へ送り出される。（第2頁4欄第19行〜同欄第37行参照）
ｂ）印字用テープ5は、ボス11の右方に突設された中空のボス33と蓋体10のボス34とで軸支された印字用テープスプール5ａに巻装した状態で収納され、その周囲に形成された円弧状の印字用テープ収納壁35によって両面テープ3から区分けされている。（第3頁5欄第19行〜同欄第24行参照）
ｃ）一方、インクリボン7は、次のような経路を経て収納されている。即ち、周壁43ｂ右方のボス45と蓋体10のボス47とで軸支されたりボン供給スプール7ａから、セパレータ37の内周面に沿って印字ヘッド挿入穴43の開口部を経由し、周壁43ｂの先端部を介してその進行方向を約1800転換させる。（第3頁5欄第37行〜同欄第43行参照）。
ｄ）次に、印字用テープ5と両面テープ3とで形成されてテープ排出孔100ｇから排出されるラベル用テープ4は、例えば第５図に示すような構造となる。透明な印字用テープ5の裏面が被印字面となり、この裏面に両面テープ3の粘着面3ａが接着し、更に最下層は両面テープ3の剥離紙3ｂとなっている。（第4頁8欄第12行〜同欄第18行参照）
　以上の記載を対比のためにまとめると、刊行物１には次のような発明１及び発明２が記載されている。
［発明１］
「カセット本体9と蓋体10からなり、蓋体10の上壁下面とカセット本体9の底壁上面との間の距離が所定幅に形成されたカセットケースと、インクリボンが巻回されたリボン供給スプール7ａと、リボン供給スプール7ａからインクリボンを引き出すとともに巻き取るリボン巻取スプールとを有する印字用カセットにおいて、カセット本体9の底壁に形成されたボス45と、ボス45に対応して蓋体10の上壁に形成されたボス47とを備え、リボン供給スプールはボス45及びボス47の外側に挿嵌されてカセット内で回転可能に支持されるリボンカセット。」
［発明２］
「カセット本体9と蓋体10からなり、蓋体10の上壁下面とカセット本体9の底壁上面との間の距離が所定幅に形成されたカセットケースと、インクリボンが巻回されたリボン供給スプールと、リボン供給スプールからインクリボンを引き出すとともに巻き取るリボン巻取スプールと、インクリボンを介して文字等の印字が行なわれる印字用テープ5を巻回した印字用テープスプール5ａと、印字用テープ5の文字印字面に貼着される両面テープを巻回した両面テープスプール3ａとを有する印字用カセットにおいて、カセット本体9の底壁に形成されたボス45と、ボス45に対応して蓋体10の上壁に形成されたボス47とを備え、前記各リボン供給スプール7ａ、印字用テープスプール5ａ、及び、両面テープスプール3ａの内少なくとも１つのスプールがボス45及びボス47の外側に挿嵌されてカセット内で回転可能に支持されるリボンカセット。」
　
［刊行物２（特開昭57−11073号公報）記載の発明］
　Ｆｉｇ8に、スプールの上下方向における幅をカセットケースの上壁と底壁管の幅と略同一にする点が図示されている。
［刊行物３（実公平5−36704号公報）記載の発明］
　第４図に、スプールの上下方向における幅をカセットケースの上壁と底壁管の幅と略同一にする点が図示されている。
　
（３）対比・判断
「本件発明１」
　本件発明１を刊行物１記載の発明１と対比すると、
ａ）刊行物１記載の発明１の「蓋体10」、「カセット本体9」、「カセットケース」、「ボス45」、「ボス47」、「リボンカセット」は、それぞれ本件発明１の「上カセットケース」、「下カセットケース」、「カセット本体」、「第１ボス軸」、「第２ボス軸」、「印字用カセット」に相当し、
ｂ）刊行物１記載の発明１の「カセット本体9と蓋体10」は、まとめて「上下一対のカセットケース」ということができ、
以上のことから、両者間には次のような一致点、相違点がある。
（一致点）
　上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、前記下カセットケースの底壁に形成された第１ボス軸と、前記第１ボス軸に対応して前記上カセットケースの上壁に形成された第２ボス軸とを備え、前記リボン供給スプールは前記各第１及び第２ボス軸の外側に挿嵌されてカセット本体内で回転可能に支持される印字用カセット。
（相違点）
（１）第１ボス軸と第２ボス軸の関係について、本件発明１は第１ボス軸と第２ボス軸とを嵌合しているのに対して、刊行物１記載の発明１ではその点について言及していない点
（２）リボン供給スプールの上下方向における幅と上下ケース間の距離との関係について、本件発明１は略同一幅に形成されたとしているのに対して、刊行物１記載の発明１は両者の関係については特に言及していない点。
（相違点の検討）
　相違点（１）について、刊行物１には第１ボス軸（ボス45）と第２ボス軸（ボス47）が、下カセットケース（カセット本体）と上カセットケース（蓋体10）を組み合わせた状態でどのような関係にあるかについて明示の記載はない。
　ただ、リボン供給スプールが支持される第１ボス軸（ボス45）や第２ボス軸（ボス47）と略同一の構成からなる両面テープスプールに関して、「両面テープ3は、カセット本体9底面の左方中央部（第２図参照）に突設された中空のボス11と蓋体10のボス12とで両端を軸支された両面テープスプール3ａに巻装した状態で収納され」とあり、リボン供給スプールについても第１ボス軸（ボス45）と第２ボス軸（ボス47）とで両端を軸支されるとみるのが妥当である。
　ところで、明示の記載はないものの、刊行物１の第１図においてボス47やボス12、34は、筒状のボスが２分割され、さらにその根本の蓋体にはボスの分割部に沿ってスリットが形成されている。一方、第２図においてボス45やボス11、33は略同一の形状をなし、ボスの上端部には軸方向にスリットが形成されているとともに、第３図の平面図によるとボスの内面に突状が形成されていて、これらの構造については第１図から第３図にそれぞれ矛盾することなく図示されている。
　これらのボスの構造は、技術的にみて両者を嵌合固定する際に効果的な構造であることは当業者にとって技術常識であり、各ボスの長さについても嵌合するのに充分な長さのものが第１図から第３図にそれぞれ矛盾することなく図示されていることから、刊行物１記載の発明１において第１ボス軸と第２ボス軸を嵌合させる程度のことは刊行物１記載の発明１に基づいて当業者ならば容易に考えつくことができたことである。
　明示の記載として、上記「両面テープ3は、カセット本体9底面の左方中央部（第２図参照）に突設された中空のボス11と蓋体10のボス12とで両端を軸支された両面テープスプール3ａに巻装した状態で収納され」とある点については、カセット本体のボスと蓋体のボスそれぞれが、スプールの両端部を軸支する意味とみれば、第１ボス軸と第２ボス軸を嵌合させる構成とすることに対する阻害要因となるものでもない。
　相違点（２）については、刊行物１には上カセットケースの上壁下面と下カセットケースの底壁上面との間の距離とリボン供給スプールの上下方向における幅の関係について明示されていないが、スプールに回転に支障が生じない範囲で両者の幅を略同一にする程度のことは設計上常識的に考えつくことであり、刊行物１の図面にも両者の幅は略同一のものが図示されているし、刊行物２や３の図面にも両者の幅が略同一のものが図示されている。したがって、この相違点は当業者が容易に考えつくことができた構成の変更である。
　
［本件発明２］
　本件発明２を刊行物１記載の発明２と対比すると、
ａ）刊行物１記載の発明２の「蓋体10」、「カセット本体9」、「カセットケース」、「ボス45」、「ボス47」、「リボンカセット」は、それぞれ本件発明２の「上カセットケース」、「下カセットケース」、「カセット本体」、「第１ボス軸」、「第２ボス軸」「印字用カセット」に相当することに加えて、刊行物１記載の発明２の「印字用テープ5」、「印字用テープスプール5ａ」、「両面テープ3」、「両面テープスプール3ａ」が、それぞれ本件発明２の「フィルムテープ」、「フィルムテープスプール」、「粘着テープ」、「粘着テープスプール」に相当し、
ｂ）刊行物１記載の発明２の「カセット本体9と蓋体10」は、まとめて「上下一対のカセットケース」ということができ、
以上のことから、両者間には次のような一致点、相違点がある。
（一致点）
　上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、前記下カセットケースの底壁に形成された第１ボス軸と、前記第１ボス軸に対応して前記上カセットケースの上壁に形成された第２ボス軸とを備え、前記各リボン供給スプール、フィルムテープスプール、及び、粘着テープスプールの内少なくとも１つのスプールが前記各第１及び第２ボス軸の外側に挿嵌されてカセット本体内で回転可能に支持される印字用カセット。
（相違点）
（１）第１ボス軸と第２ボス軸の関係について、本件発明１は第１ボス軸と第２ボス軸とを嵌合しているのに対して、刊行物１記載の発明１ではその点について言及していない点
（２）リボン供給スプール、フィルムテープスプール、及び、粘着テープスプールの内少なくとも１つのスプールの上下方向における幅と上下ケース間の距離との関係について、本件発明１は略同一幅に形成されたとしているのに対して、刊行物１記載の発明１は両者の関係については特に言及していない点。
（相違点の検討）
　相違点（１）については、本件発明１における相違点（１）と同じなので、その検討についても本件発明１における相違点（１）の検討を参照。
　相違点（２）については、本件発明２は「リボン供給スプール、フィルムテープスプール、及び、粘着テープスプールの内少なくとも１つ」と規定していることからリボン供給スプールだけでもよいことになり、このようにみれば本件発明１における相違点（２）と同じなので、その検討についても本件発明１における相違点（２）の検討を参照。なお、フィルムテープスプールや粘着テープスプールについても同じことがいえる。
（まとめ）
　したがって、本件発明１及び２は刊行物１ないし３記載の発明に基づいて、当業者が容易に発明をすることができたものである。
　
（４）むすび
　以上のとおりであるから、本件発明１及び２は特許法第29条第2項の規定により特許を受けることができない。
　したがって、本件発明１及び２についての特許は拒絶の査定をしなければならない特許出願に対してされたものと認める。
　よって、平成６年改正法附則第14条の規定に基づく、平成６年改正法の施行に伴う経過措置を定める政令（平成７年政令第205号）第4条第2項の規定により、結論のとおり決定する。
【異議決定日】
平成１３年６月２２日（２００１．６．２２）
【訂正の要旨】
訂正の要旨
１．訂正事項ａ
　特許請求の範囲の請求項１の「【請求項１】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、前記下カセットケースの底壁に形成された第１ボス軸と、前記第１ボス軸に対応して前記上カセットケースの上壁に形成された第２ボス軸とを備え、前記リボン供給スプールは前記各第１及び第２ボス軸の外側に挿嵌されてカセット本体内で回転可能に支持されるとともに、リボン供給スプールの上下方向における幅が前記所定幅と略同一幅に形成されたことを特徴とする印字用カセット。」
とあるを、特許請求の範囲の減縮を目的として、
「【請求項１】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、前記下カセットケースの底壁に形成された第１ボス軸と、前記第１ボス軸に対応して前記上カセットケースの上壁に形成された第２ボス軸とを備え、
前記第１ボス軸と第２ボス軸とを嵌合し、
２．訂正事項ｂ
　特許請求の範囲の請求項２の「【請求項２】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、前記下カセットケースの底壁に形成された第１ボス軸と、前記第１ボス軸に対応して前記上カセットケースの上壁に形成された第２ボス軸とを備え、前記各リボン供給スプール、フィルムテープスプール、及び、粘着テープスプールの内少なくとも１つのスプールが前記各第１及び第２ボス軸の外側に挿嵌されてカセット本体内で回転可能に支持されるとともに、そのスプールの上下方向における幅が前記所定幅と略同一幅に形成されたことを特徴とする印字用カセット。」とあるを、特許請求の範囲の減縮を目的として、
「【請求項２】上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、前記下カセットケースの底壁に形成された第１ボス軸と、前記第１ボス軸に対応して前記上カセットケースの上壁に形成された第２ボス軸とを備え、
前記第１ボス軸と第２ボス軸とを嵌合し、
と訂正する。
３．訂正事項ｃ
　発明の詳細な説明の段落［０００７］を、明りょうでない記載の釈明を目的として、
「【課題を解決するための手段】この目的を達成するための本発明の印字用カセットは、上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、下カセットケースの底壁に形成された第１ボス軸と、第１ボス軸に対応して上カセットケースの上壁に形成された第２ボス軸とを備え、
前記第１ボス軸と第２ボス軸とを嵌合し、
と訂正する。
４．訂正事項ｄ
　発明の詳細な説明の段落［０００８］を、明りょうでない記載の釈明を目的として、
「また、本発明の印字用カセットは、望ましくは、上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、下カセットケースの底壁に形成された第１ボス軸と、第１ボス軸に対応して上カセットケースの上壁に形成された第２ボス軸とを備え、
前記第１ボス軸と第２ボス軸とを嵌合し、
と訂正する。
５．訂正事項ｅ
　発明の詳細な説明の段落［０００９］を、明りょうでない記載の釈明を目的として、
「【作用】上下一対のカセットケースからなり、上カセットケースの上壁下面と下カセットケースの底壁上面との間の距離が所定幅に形成されたカセット本体にリボン供給スプールに巻回されたインクリボンが回転可能に支持されており、そのカセット本体が装着されたテープ印字装置の駆動により、リボン巻取スプールが回転されてインクリボンが巻取られるとともに、リボン供給スプールからインクリボンが引き出される。このとき、
下カセットケースの底壁に形成された第１ボス軸と、第１ボス軸に対応して上カセットケースの上壁に形成された第２ボス軸とを嵌合し、これら第１ボス軸と第２ボス軸の外側に挿嵌されたリボン供給スプールを、カセット本体内で回転可能に支持するとともに、リボン供給スプールの上下方向における幅が、上カセットケースの上壁下面と下カセットケースの底壁上面との間の距離に対応する所定幅と略同一幅に形成されている。従って、インクリボンを巻回したスプールは傾いたりするようなこともなく、インクリボンは蛇行することなく引き出されるとともに、
と訂正する。
６．訂正事項ｆ
　発明の詳細な説明の段落［００１０］を、明りょうでない記載の釈明を目的として、
「また、本発明の印字用カセットでは、上下一対のカセットケースからなるカセット本体にリボン供給スプールに巻回されたインクリボン、フィルムテープスプールに巻回されたフィルムテープ、そして粘着テープスプールに巻回された粘着テープが回転可能に支持されており、そのカセット本体が装着されたテープ印字装置の駆動により、リボン供給スプールからインクリボンが引き出されると共に、フィルムテープが引き出されて、そのフィルムテープにインクリボンを介して文字等の印字が行なわれ、更に印字されたフィルムテープの文字印字面にやはり引き出された粘着テープが貼着される。このとき、
下カセットケースの底壁に形成された第１ボス軸と、第１ボス軸に対応して上カセットケースの上壁に形成された第２ボス軸とを嵌合し、これら第１ボス軸と第２ボス軸の外側に挿嵌されたリボン供給スプール、フィルムテープスプール、及び、粘着テープスプールの内少なくとも１つのスプールをカセット本体内で回転可能に支持するとともに、そのスプールの上下方向における幅が、上カセットケースの上壁下面と下カセットケースの底壁上面との間の距離に対応する所定幅と略同一幅に形成されている。従って、スプールは傾いたりするようなこともなく、インクリボン、フィルムテープ、両面粘着テープが蛇行することなく引き出されるとともに、
と訂正する。
７．訂正事項ｇ
　発明の詳細な説明の段落［００２７］を、明りょうでない記載の釈明を目的として、
「【発明の効果】以上説明した本発明の印字用カセットによれば、前記下カセットケースの底壁に形成された第１ボス軸と、前記第１ボス軸に対応して前記上カセットケースの上壁に形成された第２ボス軸とを備え、
前記第１ボス軸と第２ボス軸とを嵌合し、
前記第１ボス軸と第２ボス軸とを嵌合し、
と訂正する。
（５４）【発明の名称】
印字用カセット
（５７）【特許請求の範囲】
　【請求項１】　上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、
　前記下カセットケースの底壁に形成された第１ボス軸と、
　前記第１ボス軸に対応して前記上カセットケースの上壁に形成された第２ボス軸とを備え、
　
前記第１ボス軸と第２ボス軸とを嵌合し、
　【請求項２】　上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、
　前記下カセットケースの底壁に形成された第１ボス軸と、
　前記第１ボス軸に対応して前記上カセットケースの上壁に形成された第２ボス軸とを備え、
　
前記第１ボス軸と第２ボス軸とを嵌合し、
【発明の詳細な説明】
　【０００１】
　【産業上の利用分野】
　本発明は、テープ印字装置等に使用する、プリント用インクリボン等を内蔵した印字用カセットに関し、特に、カセット本体内でインクリボン等を巻回するスプールを上下からボス軸によって支持することにより、印字装置における印字処理を安定させるようにした印字用カセットに関する。
　【０００２】
　【従来の技術】
　従来から、長尺状の印字媒体であるフィルムテープに文字等のキャラクタを印字するテープ印字装置においては、フィルムテープと、フィルムテープに印字を施すためのインクリボンと、両面粘着テープとを所定形状のカセットケースに収納したテープカセットをテープ印字装置に装着し、テープカセットから供給されるフィルムテープとインクリボンとを重ね合わせて、サーマルヘッドに通して印字した後、フィルムテープの文字印字面に両面粘着テープを貼着して文字付テープを作成することが行われている。かかるテープカセットにおいては、インクリボンをリボン供給スプールに巻回して収納し、使用済みのインクリボンを巻取り回収するリボン巻取スプールを備え、リボン巻取スプールを回転駆動することにより、リボン供給スプールから必要量のインクリボンを引き出して印字に供するようになっている。また、ワードプロセッサ等においては、インクリボンを所定形状のカセットケースに収納したリボンカセットが使用されている。
　【０００３】
　これらのテープカセット又はリボンカセット（以下、「印字用カセット」と総称する）においては、フィルムテープやインクリボン等が巻回されたスプールが、カセット本体に形成された１つのボス軸によってのみ支持されているものであった。そこで、従来の印字用カセットにおけるリボン供給スプールの支持状態の一例を図５に示す。図５は、従来の印字用カセットのリボン供給スプール５０の断面図である。図５においては、印字用カセットの下カセットケース５１の一部として、ボス軸５２が形成されている。ボス軸５２の内部は空洞状とされており、その一部に窓５３が形成されている。ボス軸５２には、インクリボン５６が巻回された円筒形状のリボン供給スプール５０が嵌挿され、そのボス軸５２の内部空洞には、ネジリコイルバネ５４が弾縮された状態で挿入されている。ネジリコイルバネ５４の一端には屈曲部５５が設けられており、屈曲部５５は、ボス軸５２の窓５３を通してリボン供給スプール５０の内面に点接触している。一方、下カセットケース５１と上カセットケース５７とが嵌合された状態では、図に示すように、ボス軸５２に嵌挿されたリボン供給スプール５０の上端が上カセットケース５７に当たらないように、所定距離の隙間が設けられている。
　【０００４】
　かかる構成において、ボス軸５２の外径とリボン供給スプール５０の内径との間には一定のクリアランスがあるので、リボン供給スプール５０は本来自由に回転することができ、インクリボン５６が引き出されるのに伴いボス軸５２に支持されて回転する。ところで、前記した印字用カセットにおいては、文字等のキャラクタを印字するフィルムテープや、印字されたフィルムテープの片面に粘着される両面粘着テープも各スプールに巻回されており、各スプールは前記リボン供給スプール５０と同様、下カセットケース５１に形成されたボス軸に支持され、回転することにより引き出される。
　【０００５】
　【発明が解決しようとする課題】
　しかし、このような従来の印字用カセットにおいては、前記のようにリボン供給スプール５０を下カセットケース５１に形成されたボス軸５２によって、下方からのみ支持する一方、上端は支持されず自由であるため、インクリボン５６が引き出される際にリボン供給スプール５０が傾いてそのインクリボン５６が蛇行してしまう傾向が大きいという問題点があった。これにより、インクリボンの場合には、そのインクリボン自体にしわができ、その状態でサーマルヘッドによって印字されたのでは、歪んだ文字等が印字されたり、不鮮明なものとなってしまう。そしてまた、このようにスプールが傾くことは、テープカセットにおけるフィルムテープや両面粘着テープについても同様の問題点を内包している。即ち、フィルムテープのスプールが傾いた場合には、インクリボンとのズレによって印字位置がズレたり、歪んだ形で印字されることがある。また、両面粘着テープのスプールが傾いた場合には、両面粘着テープが蛇行することによってフィルムテープにズレて粘着されるため、粘着面がはみ出して取扱いが不便なものとなることがある。
　【０００６】
　そこで本発明は、上述した問題点を解決するためになされたものであり、インクリボン、フィルムテープ又は両面粘着テープの送り出しの際、スプールが傾いたりするようなことがなく、インクリボン、フィルムテープ又は両面粘着テープの蛇行を防止すると共に、カセットケースの薄型化を図ることが可能な印字用カセットを提供することを目的とする。
　【０００７】
　【課題を解決するための手段】
　この目的を達成するための本発明の印字用カセットは、上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールとを有する印字用カセットにおいて、下カセットケースの底壁に形成された第１ボス軸と、第１ボス軸に対応して上カセットケースの上壁に形成された第２ボス軸とを備え、
前記第１ボス軸と第２ボス軸とを嵌合し、
　【０００８】
　また、本発明の印字用カセットは、望ましくは、上下一対のカセットケースからなり、上カセットケースの上壁下面と下カセットケースの底壁上面との間の距離が所定幅に形成されたカセット本体と、インクリボンが巻回されたリボン供給スプールと、リボン供給スプールからインクリボンを引き出すとともに巻き取るリボン巻取スプールと、インクリボンを介して文字等の印字が行なわれるフィルムテープを巻回したフィルムテープスプールと、フィルムテープの文字印字面に貼着される粘着テープを巻回した粘着テープスプールとを有する印字用カセットにおいて、下カセットケースの底壁に形成された第１ボス軸と、第１ボス軸に対応して上カセットケースの上壁に形成された第２ボス軸とを備え、
前記第１ボス軸と第２ボス軸とを嵌合し、
　【０００９】
　【作用】
　上下一対のカセットケースからなり、上カセットケースの上壁下面と下カセットケースの底壁上面との間の距離が所定幅に形成されたカセット本体にリボン供給スプールに巻回されたインクリボンが回転可能に支持されており、そのカセット本体が装着されたテープ印字装置の駆動により、リボン巻取スプールが回転されてインクリボンが巻取られるとともに、リボン供給スプールからインクリボンが引き出される。このとき、
下カセットケースの底壁に形成された第１ボス軸と、第１ボス軸に対応して上カセットケースの上壁に形成された第２ボス軸とを嵌合し、これら第１ボス軸と第２ボス軸の外側に挿嵌されたリボン供給スプールを、カセット本体内で回転可能に支持するとともに、リボン供給スプールの上下方向における幅が、上カセットケースの上壁下面と下カセットケースの底壁上面との間の距離に対応する所定幅と略同一幅に形成されている。従って、インクリボンを巻回したスプールは傾いたりするようなこともなく、インクリボンは蛇行することなく引き出されるとともに、
　【００１０】
　また、本発明の印字用カセットでは、上下一対のカセットケースからなるカセット本体にリボン供給スプールに巻回されたインクリボン、フィルムテープスプールに巻回されたフィルムテープ、そして粘着テープスプールに巻回された粘着テープが回転可能に支持されており、そのカセット本体が装着されたテープ印字装置の駆動により、リボン供給スプールからインクリボンが引き出されると共に、フィルムテープが引き出されて、そのフィルムテープにインクリボンを介して文字等の印字が行なわれ、更に印字されたフィルムテープの文字印字面にやはり引き出された粘着テープが貼着される。このとき、
下カセットケースの底壁に形成された第１ボス軸と、第１ボス軸に対応して上カセットケースの上壁に形成された第２ボス軸とを嵌合し、これら第１ボス軸と第２ボス軸の外側に挿嵌されたリボン供給スプール、フィルムテープスプール、及び、粘着テープスプールの内少なくとも１つのスプールをカセット本体内で回転可能に支持するとともに、そのスプールの上下方向における幅が、上カセットケースの上壁下面と下カセットケースの底壁上面との間の距離に対応する所定幅と略同一幅に形成されている。従って、スプールは傾いたりするようなこともなく、インクリボン、フィルムテープ、両面粘着テープが蛇行することなく引き出されるとともに、
　【００１１】
　【実施例】
　以下、本発明の印字用カセットを、長尺状のフィルムテープに印字を行うテープ印字装置用の印字用カセットであるテープカセットを具体化した一実施例について図面を参照して説明する。本実施例のテープカセット１の内部構成を図１に示す。このテープカセット１は、略直方体形に樹脂等で形成した下カセットケース５の内部に、被印字媒体であるフィルムテープ２、フィルムテープ２に印字を施すためのインクリボン３、印字がなされたフィルムテープ２に裏貼される有色で両面の粘着テープ４とをそれぞれスプールに巻回して収納したものであり、使用済みのインクリボン３を巻取るリボン巻取スプール１６も備えられている。
　【００１２】
　また、フィルムテープ２は、フィルムテープスプール１５に巻回されて収納されている。フィルムテープスプール１５から引き出されたフィルムテープ２は、補助ガイド２０、テープガイド２１を経由してテープカセット１の開口部２２を通過し、テープ印字装置から回転駆動を受けるテープ駆動ローラ１９に導かれてテープカセット１の外部に至る。
　【００１３】
　インクリボン３は、その終端がリボン供給スプール１３に接合され、巻回されて収納されている。リボン供給スプール１３から引き出されたインクリボン３は、リボンガイド２３を経由してフィルムテープ２と重ね合わされ、フィルムテープ２と共に開口部２２を通過する。その後インクリボン３は、フィルムテープ２から離され、リボンガイド２６、補助ガイド２５を経由して、不図示のテープ印字装置から回転駆動を受けるリボン巻取スプール１６に至る。リボン巻取スプール１６には、インクリボン３の始端が接合され巻取られる。また、リボン巻取スプール１６の内側には、内歯１８が形成されている。内歯１８は、テープカセット１をテープ印字装置に装着した際にテープ印字装置の回転駆動端と嵌合され、内歯１８がテープ印字装置から駆動されることにより、リボン巻取スプール１６が回転する。
　【００１４】
　粘着テープ４は、片面に剥離紙を重ね合わされた状態で、剥離紙を外側にして粘着テープスプール１７に巻回されて収納されている。粘着テープスプール１７から引き出された粘着テープ４は、テープ駆動ローラ１９に導かれて、剥離紙が重ね合わされていない側の粘着面がフィルムテープ２に貼着される。そして、フィルムテープ２と共にテープカセット１の外部に至る。また、テープカセット１の開口部２２には、テープカセット１をテープ印字装置に装着した際にテープ印字装置の印字機構が位置する。テープ印字装置の印字機構は、複数の発熱素子を配列したサーマルヘッド３１と、サーマルヘッド３１にインクリボン３とフィルムテープ２とを押圧するプラテンローラ３０とを有している。これらにより、インクリボン３と重ね合わされたフィルムテープ２に印字が行なわれる。
　【００１５】
　前記の全体構成を有するテープカセット１は、印字の際には、リボン巻取スプール１６が内歯１８を介してテープ印字装置の側から回転駆動を受ける。また、テープ駆動ローラ１９もテープ印字装置から回転駆動を受ける。テープ印字装置側において、テープ駆動ローラ１９と相対する位置には不図示の従動ローラが配置されており、テープカセット１をテープ印字装置に装着した状態では、テープ駆動ローラ１９と不図示の従動ローラとは、フィルムテープ２と粘着テープ４とを重ね合わせた状態で挟持している。そして、テープ駆動ローラ１９が駆動されることにより、フィルムテープ２がフィルムテープスプール１５から、粘着テープ４が粘着テープスプール１７から、それぞれ引き出される。フィルムテープスプール１５と粘着テープスプール１７とは、テープが引き出された分だけ回転する。
　【００１６】
　また、リボン巻取スプール１６が図１中反時計回りに駆動されることにより、インクリボン３がリボン供給スプール１３から引き出される。リボン供給スプール１３は、インクリボン３が引き出された分だけ反時計回りに回転する。尚、前記プラテンローラ３０がリボン巻取スプール１６やテープ駆動ローラ１９と同期して回転駆動するように構成され、インクリボン３がサーマルヘッド３１とプラテンローラ３０とにより、フィルムテープ２と重なり合った状態で挟持されつつ、プラテンローラ３０の回転により送り出され、その送り出された分がリボン巻取スプール１６に巻取られる構成とすることも可能である。
　【００１７】
　次に、本実施例のテープカセット１における特徴部分である各スプールの取り付け部の機構について説明する。ここで、図２は、リボン供給スプール１３の断面図であり、図３は、フィルムテープスプール１５の断面図であり、図４は、粘着テープスプール１７の断面図である。先ず、図２において、下カセットケース５の底壁上面には、支持軸３５を有するスプール支持部３６が一体に形成されており、このスプール支持部３６には、周囲にインクリボン３が巻回されたリボン供給スプール１３が一定のクリアランスをもって嵌挿されている。
　【００１８】
　また、リボン供給スプール１３の内部において、ボス軸３６の上方には回転部材３７が嵌挿され配置されている。ここで、回転部材３７は、その上端面には円筒状突起部３８が形成され、そして、リボン供給スプール１３に係合されている。これにより、回転部材３７は、リボン供給スプール１３と一体に回転可能となるものである。また、円筒状突起部３８にはボス軸３６の支持軸３５が嵌挿されており、これにより、支持軸３５は、回転部材３７の回転時に、回転部材３７とボス軸３６との位置関係を適正に保持する作用を行うものである。更に、上カセットケース６の上壁下面には、ボス軸３９が設けられている。
　【００１９】
　更に、前記回転部材３７の円筒状突起部３８と前記ボス軸３９の筒状部との間には、クラッチバネ４０が配設されている。即ち、クラッチバネ４０は、コイル状の円環部４０ａとその円環部４０ａから延設された係止部４０ｂとを有し、かかるクラッチバネ４０は、円環部４０ａが円筒状突起部３８に嵌着されるとともに、係止部４０ｂが係止溝４１の一つに係止されることにより、回転部材３７と前記ボス軸３９との間に配設されている。
　【００２０】
　このような構成において、インクリボン３は、テープ印字装置から回転駆動を受けるリボン巻取スプール１６に巻き取られ、リボン供給スプール１３から引き出される。その際、リボン供給スプール１３は、ボス軸３６，３９とによって上下の移動が制限されるため、常に同じ高さからインクリボン３が引き出される。また、リボン供給スプール１３が、上端部分でもボス軸３９によって支持されているため、リボン供給スプール１３の傾きが制限され、常に平行にインクリボン３が引き出される。
　【００２１】
　次に、図３に示すように、円筒形状のフィルムテープスプール１５にはフィルムテープ２が巻回され、そのフィルムテープスプール１５が、回転自在にボス軸４１，４２に軸支されている。この場合、フィルムテープスプール１５は、上記リボン供給スプール１３の場合と同様、ボス軸４１，４２が、下テープカセット５と上テープカセット６から所定高さ突出して形成され、一本の回転軸をなすよう上下に嵌合されている。
　【００２２】
　従って、このような構成により、フィルムテープスプール１５は、下カセットケース５及び上カセットケース６に形成されたボス軸４１，４２によって、上下から支持されて回転する。このとき、上記リボン供給スプール１３の場合と同じように、フィルムテープスプール１５は、ボス軸４１，４２によって上下の移動が制限されるため、常に同じ高さからフィルムテープ２が引き出される。また、フィルムテープスプール１５が、上端においてボス軸４２によって支持されているため、フィルムテープスプール１５の傾きが制限され、常に平行にフィルムテープ２が引き出される。
　【００２３】
　更に、図４に示すように、円筒形状の粘着テープスプール１７には粘着テープ４が巻回され、その粘着テープスプール１７が、回転自在にボス軸４３，４４に軸支されている。この場合、粘着テープスプール１７は、上記リボン供給スプール１３及びフィルムテープスプール１５の場合と異なり、ボス軸４３，４４が、下カセットケース５と上カセットケース６から所定高さ突出して形成され、上下が分離するように形成された分離型をなす。
　【００２４】
　従って、このような構成により、粘着テープスプール１７は上下端部において支持されて回転する。このとき、上記リボン供給スプール１３の場合と同じように、粘着テープスプール１７は、ボス軸４３，４４によって上下の移動が制限されるため、常に同じ高さから粘着テープ４が引き出される。また、粘着テープスプール１７が、上端においてボス軸４４によって支持されているため、粘着テープスプール１７の傾きが制限され、常に平行に粘着テープ４が引き出される。
　【００２５】
　以上、詳細に説明した本実施例のテープカセットによれば、ボス軸３６，３９，４１，４２，４３，４４を下カセットケース５及び上カセットケース６に設けたので、リボン供給スプール１３、フィルムテープスプール１５そして粘着テープスプール１７が傾いたり上下方向に移動することがなくなり、インクリボン３、フィルムテープ２及び粘着テープ４が蛇行することがなくなった。これにより、インクリボン３にしわができ、サーマルヘッド３１によって歪んだ文字等が印字されたり、不鮮明なものとなってしまうという問題点が解消され、インクリボン３とフィルムテープ２の重ね合わせの位置ズレ等の問題も解消された。また、粘着テープ４が蛇行することによってフィルムテープ２にズレて粘着されて、粘着面がはみ出して取扱いが不便なものとなるといった不都合が解消された。また、図２及び図３に示したインクリボン３及びフイルムテープ２のボス軸３６，３９あるいはボス軸４１，４２のように上下一体したものでは、上記効果に加え、例えば、なんらかの衝撃によってスプールがボス軸から外れてしまい回転を妨げることもない。
　【００２６】
　なお、前記実施例は本発明を何ら限定するものではなく、その要旨を逸脱しない範囲で種々の変形・改良が可能であることはもちろんである。例えば、上記実施例では、インクリボン及びフィルムテープについては、ボス軸を上下で嵌合させた一体型を示した一方、粘着テープについては、ボス軸をスプールの上端部分及び下端部分に分離させた分離型を示したが、これはインクリボン、フィルムテープ及び粘着テープについて、それぞれの構成のものに限定するのではなく、インクリボンについて分離型を用いてもよく、逆に粘着テープについて一体型を用いてもよい。
　【００２７】
　【発明の効果】
　以上説明した本発明の印字用カセットによれば、前記下カセットケースの底壁に形成された第１ボス軸と、前記第１ボス軸に対応して前記上カセットケースの上壁に形成された第２ボス軸とを備え、
前記第１ボス軸と第２ボス軸とを嵌合し、
前記第１ボス軸と第２ボス軸とを嵌合し、
　【００２８】
【図面の簡単な説明】
　【図１】
　本発明の一実施例である印字用カセットの内部構成を示す平面図である。
　【図２】
　リボン供給スプールを示す断面図である。
　【図３】
　フィルムテープスプールを示す断面図である。
　【図４】
　粘着テープスプールを示す断面図である。
　【図５】
　従来の印字用カセットのリボン供給スプールを示す断面図である。
　【符号の説明】
　　１　テープカセット
　　２　フィルムテープ
　　３　インクリボン
　　４　両面粘着テープ
　　５　下テープカセット
　　６　上テープカセット
　１３　リボン供給スプール
　１５　フィルムテープスプール
　１７　両面粘着テープスプール
　３６　ボス軸
　３９　ボス軸
　４１　ボス軸
　４２　ボス軸
　４３　ボス軸
　４４　ボス軸